(57)【特許請求の範囲】
【請求項１】
列状に並べられ、被照射面に照射する光を出射する複数の発光素子と、
前記被照射面に照射され反射した光が入射する撮像素子と、
前記複数の発光素子と前記撮像素子とが一方の面に取り付けられた基板と、
前記複数の発光素子から出射された光を前記被照射面に照射する第一光学系と、
前記被照射面で反射した光を前記撮像素子に導く第二光学系と、
前記第二光学系に設けられ、光が入射する第一反射面と、側面視において前記第一反射面に対して９０°となるように配置され前記第一反射面で反射された光を前記基板に向けて反射する第二反射面と、を有する反射光学系と、
前記第二光学系に設けられ、前記撮像素子と前記第二反射面との光路上に配置され、前記撮像素子に光を結像させる結像レンズと、
前記結像レンズの光軸方向の位置を調整して固定するレンズ位置固定手段と、
側面視において前記第二反射面から反射する光の光軸方向及び前記光軸と直交する方向の位置を調整して固定する反射面固定手段と、
を備える画像読取装置。
【請求項２】
前記反射面固定手段は、前記第一反射面と前第二反射面とを一体として位置の調整を行い固定する、
請求項１に記載の画像読取装置。
【請求項３】
前記基板と、前記第一光学系と、前記第二光学系と、前記レンズ位置固定手段と、前記反射面固定手段と、が筐体に収容され、
前記基板の前記一方の面と反対側の他方の面が前記筐体の壁面に固定されている、
請求項１又は請求項２に記載の画像読取装置。
【発明の詳細な説明】
【技術分野】
【０００１】
本発明は、画像読取装置に関する。
【背景技術】
【０００２】
特許文献１には、撮像素子と、前記撮像素子が実装された第１の面を有するプリント配線板と、液晶表示ユニットと、前記液晶表示ユニットをバックライト照明するための光源と、前記光源からの光を端面から入射させ該光を前記液晶表示ユニットの背面に導く導光板と、を有し、前記導光板と前記液晶表示ユニットが前記プリント配線板における前記第１の面とは反対側の第２の面に沿って配置されており、前記光源が前記プリント配線板の前記第２の面に実装されていることを特徴とする撮像装置が開示されている。
【０００３】
また、特許文献２には、被読取面に沿って移動可能な移動体と、前記被読取面へ向けて発光する発光部と、前記発光部から発光されて前記被読取面で反射した反射光を検出する検出部と、前記発光部が固定され、前記移動体に取り付けられた他の部品とは独立して着脱可能に前記移動体に取り付けられる取付部材と、前記取付部材を前記移動体に着脱する際に前記取付部材が前記他の部品側に移動することを規制する規制手段と、を備える画像読取装置が、開示されている。
【先行技術文献】
【特許文献】
【０００４】
【特許文献１】特開２０１０―４１４４５号公報
【特許文献２】特開２０１１―２４０４１号公報
【発明の概要】
【発明が解決しようとする課題】
【０００５】
本発明は、発光素子と撮像素子とが一体の構成において、被照射面に照射する光に影響を与えないように、撮像素子に入射する光の光学調整を行うことを課題とする。
【課題を解決するための手段】
【０００６】
請求項１の発明は、列状に並べられ、被照射面に照射する光を出射する複数の発光素子と、前記被照射面に照射され反射した光が入射する撮像素子と、前記複数の発光素子と前記撮像素子とが一方の面に取り付けられた基板と、前記複数の発光素子から出射された光を前記被照射面に照射する第一光学系と、前記被照射面で反射した光を前記撮像素子に導く第二光学系と、前記第二光学系に設けられ、光が入射する第一反射面と、側面視において前記第一反射面に対して９０°となるように配置され前記第一反射面で反射された光を前記基板に向けて反射する第二反射面と、を有する反射光学系と、前記第二光学系に設けられ、前記撮像素子と前記第二反射面との光路上に配置され、前記撮像素子に光を結像させる結像レンズと、前記結像レンズの光軸方向の位置を調整して固定するレンズ位置固定手段と、側面視において前記第一反射面に入射及び前記第二反射面から反射する光の光軸方向及び前記光軸と直交する方向の位置を調整して固定する反射面固定手段と、を備える画像読取装置。
【０００７】
請求項２の発明は、前記反射面固定手段は、前記第一反射面と前第二反射面とを一体として位置の調整を行い固定する、請求項１に記載の画像読取装置。
請求項３の発明は、前記基板と、前記第一光学系と、前記第二光学系と、前記レンズ位置固定手段と、前記反射面固定手段と、が筐体に収容され、
前記基板の前記一方の面と反対側の他方の面が前記筐体の壁面に固定されている、
請求項１又は請求項２に記載の画像読取装置。
【発明の効果】
【０００８】
請求項１に記載の発明によれば、発光素子と撮像素子とを取り付けた基板を移動させて光学調整を行う場合と比較し、被照射面に照射する光に影響を与えないで、撮像素子に入射する光の光学調整を行うことができる。
【０００９】
請求項２に記載の発明によれば、第一反射面と第二反射面とを別々に移動させる構成と比較し、光学調整が容易である。
請求項３に記載の発明によれば、基板の反対側の他方の面が筐体の壁面に固定されていない場合と比較し、筐体内のスペースを効率的に利用することができる。
【図面の簡単な説明】
【００１０】
【図１】本実施形態に係る画像形成装置の全体構成を示す概略図である。
【図２】本実施形態に係る画像形成ユニットの構成を示す概略図である。
【図３】本実施形態に係る画像読取装置の構成を示す概略図である。
【図４】本実施形態に係る読取ユニットの構成を示す概略図である。
【図５】（Ａ）は図４に示す読取ユニットの照射光の配光分布を説明するための説明図であり、（Ｂ）は図４に示す反射光学系を構成する第一反射ミラーの反射面と第二反射ミラーの反射面の位置関係と、反射光の位置関係と、を説明するための説明図である。
【図６】図４に示す読取ユニットのレンズホルダーとミラーホルダーとを示す斜視図である。
【図７】第一反射ミラー及び第二反射ミラーの、（Ａ）は反射光ＬＢ１，ＬＢ３の光軸方向の位置の調整を説明する説明図であり、（Ｂ）は反射光ＬＢ１，ＬＢ３の光軸と直交するＺ方向の位置の調整を説明する説明図である。
【図８】主査走査方向、副走査方向、レジずれ、及びスキューを説明する説明図である。
【発明を実施するための形態】
【００１１】
以下に、本発明に係る実施形態の一例を図面に基づき説明する。なお、図中に示す矢印ＵＰは、鉛直方向上方を示している。
【００１２】
＜本実施形態に係る画像形成装置の構成の概要＞
まず、本実施形態に係る画像形成装置の構成の概要を説明する。
【００１３】
図１に示すように、本実施形態に係る画像形成装置１０は、原稿Ｇの画像を読み取る画像読取装置１１と、記録用紙等の記録媒体Ｐに画像を記録する画像記録装置２１と、を備えている。画像読取装置１１は、画像形成装置１０の上部に配置され、画像記録装置２１は、画像形成装置１０の下部に配置されている。画像読取装置１１は、原稿Ｇの画像を読み取り、その読み取った画像を画像信号に変換するように構成されている。画像記録装置２１は、画像読取装置１１が変換した画像信号に基づいて記録媒体Ｐへ画像を記録するように構成されている。
【００１４】
＜本実施形態に係る画像記録装置２１の構成＞
まず、本実施形態に係る画像記録装置２１の構成について説明する。
【００１５】
図１に示されるように、画像記録装置２１は、用紙等の記録媒体Ｐが収容される複数の記録媒体収容部８０と、記録媒体Ｐに画像を形成する画像形成部２７と、複数の記録媒体収容部８０から画像形成部２７へ記録媒体Ｐを搬送する搬送部２９と、画像形成部２７によって画像が形成された記録媒体Ｐが排出される第１排出部６９、第２排出部７２及び第３排出部７６と、画像記録装置２１の各部の動作を制御する制御部７１と、を備えている。
【００１６】
画像形成部２７は、イエロー（Ｙ）、マゼンタ（Ｍ）、シアン（Ｃ）、ブラック（Ｋ）の各色のトナー画像を形成する画像形成ユニット３０Ｙ、３０Ｍ、３０Ｃ、３０Ｋと、画像形成ユニット３０Ｙ、３０Ｍ、３０Ｃ、３０Ｋで形成されたトナー画像が転写される中間転写体の一例としての中間転写ベルト３２と、画像形成ユニット３０Ｙ、３０Ｍ、３０Ｃ、３０Ｋで形成されたトナー画像を中間転写ベルト３２に転写するための第１転写部材の一例としての第１転写ロール４６と、第１転写ロール４６によって中間転写ベルト３２に転写されたトナー画像を中間転写ベルト３２から記録媒体Ｐへ転写するための第２転写部材の一例としての第２転写ロール６０と、第２転写ロール６０によって中間転写ベルト３２から記録媒体Ｐへ転写されたトナー画像を記録媒体Ｐに定着させる定着装置６４と、を備えている。
【００１７】
画像形成ユニット３０Ｙ、３０Ｍ、３０Ｃ、３０Ｋは、水平方向に対して傾斜した状態で、画像記録装置２１の上下方向中央部に並んで配置されている。
【００１８】
図２に示されるように、画像形成ユニット３０Ｙ、３０Ｍ、３０Ｃ、３０Ｋは、形成されたトナー画像を保持する像保持体として、一方向（図１における反時計回り方向）へ回転する感光体ドラム３４をそれぞれ有している。
【００１９】
各感光体ドラム３４の周囲には、感光体ドラム３４の回転方向上流側から順に、感光体ドラム３４を帯電させる帯電装置３６と、帯電装置３６によって帯電した感光体ドラム３４を露光して感光体ドラム３４に静電潜像を形成する露光装置４０と、露光装置４０によって感光体ドラム３４に形成された静電潜像を現像してトナー画像を形成する現像装置４２と、感光体ドラム３４に形成されたトナー画像が中間転写ベルト３２に転写された後に感光体ドラム３４に残留しているトナーを除去する除去装置４４と、が設けられている。
【００２０】
露光装置４０は、制御部７１（図１参照）から送られた画像信号に基づき静電潜像を形成するようになっている。制御部７１から送られる画像信号としては、画像読取装置１１で生成された画像信号や制御部７１が外部装置から取得した画像信号がある。
【００２１】
図１に示されるように、中間転写ベルト３２は、画像形成ユニット３０Ｙ、３０Ｍ、３０Ｃ、３０Ｋの上側に配置されており、中間転写ベルト３２に駆動力を付与する駆動ロール４８と、第２転写ロール６０に対向する対向ロール５０と、中間転写ベルト３２に張力を付与する張力付与ロール５４と、第１従動ロール５６と、第２従動ロール５８とに予め定められた張力で巻き掛けられている。中間転写ベルト３２は、駆動ロール４８によって回転力が付与され、感光体ドラム３４と接触しながら一方向（図１におけるＡ方向）へ循環移動するようになっている。
【００２２】
中間転写ベルト３２を挟んで駆動ロール４８と対向する対向位置には、中間転写ベルト３２に残留したトナーを除去するための除去装置５２が設けられている。また、中間転写ベルト３２の上方には、イエロー（Ｙ）、マゼンタ（Ｍ）、シアン（Ｃ）、黒（Ｋ）の各色の現像装置４２へ供給される各色のトナーを貯留するトナーカートリッジ３８Ｙ、３８Ｍ、３８Ｃ、３８Ｋが設けられている。
【００２３】
第１転写ロール４６は、中間転写ベルト３２を挟んで感光体ドラム３４に対向している。第１転写ロール４６と感光体ドラム３４との間が、感光体ドラム３４に形成されたトナー画像が中間転写ベルト３２に転写される第１転写位置とされている。
【００２４】
第２転写ロール６０は、中間転写ベルト３２を挟んで対向ロール５０と対向している。第２転写ロール６０と対向ロール５０との間が、中間転写ベルト３２に転写されたトナー画像が記録媒体Ｐに転写される第２転写位置とされている。
【００２５】
搬送部２９は、記録媒体収容部８０の各々に収容された記録媒体Ｐを送り出す送出ロール８８と、送出ロール８８に送り出された記録媒体Ｐが搬送される搬送路６２と、搬送路６２に沿って配置され送出ロール８８によって送り出された記録媒体Ｐを第２転写位置へ搬送する搬送ロール９０、９２、９４が、設けられている。
【００２６】
定着装置６４は、第２転写位置より搬送方向下流側に配置されており、第２転写位置で転写されたトナー画像を記録媒体Ｐへ定着させる。
【００２７】
定着装置６４よりも搬送方向下流側には、トナー画像が定着された記録媒体Ｐを搬送する搬送ロール６６が設けられている。この搬送ロール６６の搬送方向下流側には、記録媒体Ｐの搬送方向を切り替える切替部材６８が設けられている。この切替部材６８の搬送方向下流側には、切替部材６８によって切り替えられた搬送方向の一方側（図１における右側）に搬送される記録媒体Ｐを第１排出部６９に排出する第１排出ロール７０が設けられている。
【００２８】
また、切替部材６８の搬送方向下流側には、切替部材６８によって切り替えられた搬送方向の他方側（図１における上側）に搬送される記録媒体Ｐを搬送する搬送ロール７３と、搬送ロール７３によって搬送される記録媒体Ｐを第２排出部７２に排出する第２排出ロール７４と、搬送ロール７３によって搬送される記録媒体Ｐを第３排出部７６に排出する第３排出ロール７８と、が設けられている。
【００２９】
定着装置６４の側方には、搬送ロール７３を逆転させることで反転された記録媒体Ｐが搬送される反転搬送路１００が形成されている。反転搬送路１００には、反転搬送路１００に沿って複数の搬送ロール１０２が設けられている。これらの搬送ロール１０２によって搬送された記録媒体Ｐは、搬送ロール９４によって、再度第２転写位置へ送り込まれるようになっている。
【００３０】
次に、本実施形態に係る画像記録装置２１における、記録媒体Ｐへ画像を形成する画像形成動作について説明する。
【００３１】
本実施形態に係る画像記録装置２１では、複数の記録媒体収容部８０のいずれかから送り出された記録媒体Ｐが、搬送ロール９０、９２、９４によって第２転写位置へ送り込まれる。
【００３２】
一方、画像形成ユニット３０Ｙ、３０Ｍ、３０Ｃ、３０Ｋでは、画像読取装置１１又は外部装置から取得した画像信号に基づき露光装置４０が静電潜像を感光体ドラム３４に形成し、その静電潜像に基づくトナー画像が形成される。画像形成ユニット３０Ｙ、３０Ｍ、３０Ｃ、３０Ｋで形成された各色のトナー画像は、第１転写位置にて中間転写ベルト３２に重ねられて、カラー画像が形成される。そして、記録媒体Ｐは、第２転写位置にて中間転写ベルト３２に形成されたカラー画像が転写される。
【００３３】
トナー画像が転写された記録媒体Ｐは、定着装置６４へ搬送され、転写されたトナー画像が定着装置６４により定着される。記録媒体Ｐの片面へのみ画像を形成する場合は、トナー画像が定着された後、記録媒体Ｐは、第１排出部６９、第２排出部７２及び第３排出部７６のいずれかに排出される。
【００３４】
記録媒体Ｐの両面へ画像を形成する場合には、片面に画像が形成された後、記録媒体Ｐは、搬送ロール７３によって反転されて、反転搬送路１００へ送り込まれる。さらに、反転搬送路１００から搬送ロール９４によって、再度第２転写位置へ送り込まれ、反対面側に上記と同様に画像が形成され、記録媒体Ｐの両面へ画像が形成される。以上のように、一連の画像形成動作が行われる。
【００３５】
なお、画像記録装置２１の構成としては、上記の構成に限られず、例えば、中間転写体を有さない直接転写型の画像記録装置やインクジェット方式による画像記録装置でもよく、画像が記録可能な画像記録装置であれば上記構成以外の画像記録装置であってもよい。
【００３６】
＜本実施形態に係る画像読取装置１１の構成＞
次に、画像読取装置１１の構成について説明する。
【００３７】
図３に示されるように、画像読取装置１１は、原稿Ｇを搬送する原稿搬送装置１２と、原稿Ｇの画像を読み取る画像読取部１４と、を備えている。原稿搬送装置１２は画像読取装置１１の上部に配置され、画像読取部１４は画像読取装置１１の下部に配置されている。
【００３８】
原稿搬送装置１２は、原稿Ｇが収容される原稿収容部１３と、原稿Ｇが排出される原稿排出部３３と、原稿収容部１３から原稿排出部３３へ原稿Ｇを搬送する搬送部１６と、を備えている。
【００３９】
搬送部１６は、原稿収容部１３に収容された原稿Ｇを原稿収容部１３から送り出す送出ロール１５と、送出ロール１５に送り出された原稿Ｇを搬送方向下流側へ搬送する複数の搬送ロール２５と、搬送ロール２５に搬送された原稿Ｇを原稿排出部３３に排出する排出ロール３５と、を備えて構成されている。複数の搬送ロール２５及び排出ロール３５は、原稿収容部１３から送り出された原稿Ｇが搬送される折り返し形状の搬送路２３に沿って配置されている。
【００４０】
画像読取部１４は、原稿搬送装置１２によって搬送されている原稿Ｇと、第１プラテンガラス４３Ａに載せられた原稿Ｇと、の両方の画像を読み取るように構成されており、各構成部品が収容される筐体４１を備えている。
【００４１】
この筐体４１の上部には、原稿Ｇが載せられると共にその原稿Ｇの画像を読み取るための光Ｌを透過する第１プラテンガラス４３Ａと、原稿搬送装置１２によって搬送されている原稿Ｇを読み取るための光Ｌを透過する第２プラテンガラス４３Ｂと、が設けられている。
【００４２】
原稿搬送装置１２は、画像読取部１４に対して開閉可能に取り付けられており、原稿搬送装置１２が開放された状態において、第１プラテンガラス４３Ａ上に原稿Ｇが載せられるようになっている。
【００４３】
画像読取部１４は、光Ｌ（後述する照射光ＬＡ）を原稿Ｇの被読取面（画像が形成された画像面）ＧＡへ照射すると共に、原稿Ｇの被読取面ＧＡに光Ｌが照射されて原稿Ｇの被読取面ＧＡで反射した光Ｌ（後述する反射光ＬＢ）を導き光学像を読み取る読取ユニット２００（図４も参照）を備えている。
【００４４】
読取ユニット２００は、矢印Ｘ方向（後述する副走査方向Ｘ）に移動可能とされ、矢印Ｘ方向に移動することで、第１プラテンガラス４３Ａ載せられた原稿Ｇの被読取面ＧＡの画像を読み取ることができるように構成されている。
【００４５】
一方、原稿搬送装置１２によって搬送される原稿Ｇの被読取面（画像面）ＧＡの画像を読み取る場合には、画像読取部１４の一端部（図３における左端部）に示す実線の読み取り位置に停止する。そして、原稿Ｇが第２プラテンガラス４３Ｂの読み取り位置を通過することによって、原稿Ｇの被読取面ＧＡの画像が読み取られる（図４参照）。
【００４６】
なお、図８に示すように、原稿Ｇが第２プラテンガラス４３Ｂの読み取り位置を搬送される方向を副走査方向Ｘ（矢印Ｘと同じ方向）であり、原稿Ｇが搬送される方向と直交する原稿Ｇの幅方向が主走査方向Ｙである。なお、主走査方向Ｙは、図３や図４では図面に直交する方向である。
【００４７】
＜読取ユニット２００について＞
つぎに読取ユニット２００について説明する。
【００４８】
図４に示すように、読取ユニット２００は、板厚方向（面外方向）を副走査方向として配置された基板２１０が筐体２０２に固定されている。基板２１０の上端部分には原稿Ｇに照射して反射させる光Ｌを出射する複数の発光素子の一例としてのＬＥＤ（Ｌｉｇｈｔ  Ｅｍｉｔｔｉｎｇ  Ｄｉｏｄｅ）素子２２０が、主走査方向Ｙ（図８参照）に沿って一定間隔に列状に並べられて取り付けられている。また、基板２１０のＬＥＤ素子２２０の下側には、撮像素子の一例としてのＣＣＤ(Charge Coupled Device Image Sensor)イメージセンサー２２２が取り付けられている。
【００４９】
なお、ＬＥＤ素子２２０から出射され、原稿Ｇの被読取面（画像面）ＧＡに照射されて反射しイメージセンサー２２２に入射する光全体を光Ｌとする。しかし、ＬＥＤ素子２２０から出射され原稿Ｇの被読取面（画像面）ＧＡに照射されるまでを照射光ＬＡとし、原稿Ｇの被読取面（画像面）ＧＡに反射してイメージセンサー２２２に入射するまでを反射光ＬＢとして、区別する場合がある。更に、反射光ＬＢを、後述するように反射光ＬＢ１、ＬＢ２、ＬＢ３として区別する場合がある。
【００５０】
読取ユニット２００は、ＬＥＤ素子２２０から出射された照射光ＬＡを原稿Ｇの被照射面ＧＡに照射するように導く第一光学系２３０と、被照射面ＧＡで反射した反射光ＬＢをＣＣＤイメージセンサー２２２に導く第二光学系２４０と、を有している。
【００５１】
第一光学系２３０には、照射光ＬＡを導光する導光部材２３２が設けられている。導光部材２３２は、主走査方向Ｙ（図８参照）を長手方向とする長尺状に形成されている。導光部材２３２の入射面２３２Ａは、ＬＥＤ素子２２０における照射光ＬＡを出射する出射面２２０Ａの近傍に対向して配置されている。
【００５２】
そして、導光部材２３２は、照射光ＬＡが入射面２３２Ａから入射すると共に、照射光ＬＡを内部で全反射させて、第一出射面２３２Ｂと第二出射面２３２Ｃとから出射するように構成されている。
【００５３】
なお、導光部材２３２の入射面２３２Ａは、ＬＥＤ素子２２０の出射面２２０Ａよりも大きい。そして、ＬＥＤ素子２２０が出射する照射光ＬＡの光軸方向に見て、ＬＥＤ素子２２０の出射面２２０Ａが導光部材２３２の入射面２３２Ａに収まるように構成されている。
【００５４】
なお、導光部材２３２は光量が減衰しにくい材料、例えばアクリル樹脂、ポリカーボネート樹脂、ポリイミド樹脂、ガラス等の材料で成形されている。
【００５５】
導光部材２３２の第一出射面２３２Ｂからは原稿Ｇに向けて照射光ＬＡが出射される。また、導光部材２３２の第二出射面２３２Ｃから出射された照射光ＬＡは、反射鏡２３４によって原稿Ｇに向けて反射される。このように、副走査方向Ｘの一方側（図４における右側）及び他方側（図４における左側）から原稿Ｇへ照射光ＬＡが照射される。よって、図５（Ａ）に示すように、原稿Ｇに照射される照射光ＬＡの副走査方向Ｘの配光分布は分布Ｑのようになる。
【００５６】
図４に示すように、第二光学系２４０は、反射鏡２４２と、第一反射ミラー２５２と第二反射ミラー２５４とを有する反射光学系２５０と、結像レンズ２４４と、を有している。図５（Ｂ）に示すように、第一反射ミラー２５２の反射面２５２Ａ（第一反射面の一例）と、第二反射ミラー２５４の反射面２５４Ａ（第二反射面の一例）と、は側面視において（主走査方向Ｙに見て）、９０°となるように配置されている。
【００５７】
図４に示すように、反射鏡２４２は、原稿Ｇの被読取面ＧＡで反射した反射光ＬＢを反射光学系２５０の第一反射ミラー２５２の反射面２５２Ａに向けて反射光ＬＢ１を反射する。
【００５８】
反射光学系２５０の第一反射ミラー２５２は、反射面２５２Ａに反射光ＬＢ１が入射し、第二反射ミラー２５４の反射面２５４Ａに向けて反射光ＬＢ２を反射する。第二反射ミラー２５４は、反射面２５Ａに反射光ＬＢ２が入射し、基板２１０に向けて反射光ＬＢ３を反射する。
【００５９】
なお、図５（Ｂ）に示すように、第一反射ミラー２５２の反射面２５２Ａに入射する反射光ＬＢ１と、第二反射ミラー２５４の反射面２５４Ａで反射された反射光ＬＢ３と、は側面視において（主走査方向Ｙに見て）、平行且つ光の進行方向が逆方向となっている。また、第一反射ミラー２５２の反射面２５２Ａで反射され第二反射ミラー２５４の反射面２５４Ａに入射する反射光ＬＢ２は、側面視において反射光ＬＢ１、ＬＢ３に対して９０°となる。
【００６０】
図４に示すように、結像レンズ２４４は、ＣＣＤイメージセンサー２２２と第二反射ミラー２５４との間の反射光ＬＢ３の光路上に設けられ、ＣＣＤイメージセンサー２２２に反射光ＬＢを結像させる。
【００６１】
図６に示すように、結像レンズ２４４の主走査方向Ｙ（長手方向）の両端部は、筐体２０２に固定されたレンズホルダー２６０に保持されている。レンズホルダー２６０は、固定板部２６２が筐体２０２の固定面２０２Ａにビス２６８によって固定されている。
【００６２】
レンズホルダー２６０の固定板部２６２と、筐体２０２の固定面２０２Ａと、は反射光ＬＢ３の光軸方向に沿って設けられている。また、レンズホルダー２６０の固定板部２６２には、反射光ＬＢ３の光軸方向を長手方向とする長孔２６４が形成され、この長孔２６４にビス２６８を通して固定面２０２Ａに固定されている。よって、ビス２６８が長孔２６４を移動可能な範囲内において、レンズホルダー２６０は反射光ＬＢ３の光軸方向に移動可能に筐体２０２に固定されている。つまり、結像レンズ２４４は、レンズホルダー２６０によって、反射光ＬＢ３の光軸方向の位置を調整可能に固定されている。
【００６３】
反射光学系２５０を構成する第一反射ミラー２５２と第二反射ミラー２５４とのそれぞれ主走査方向Ｙ（長手方向）の両端部が、ミラーホルダー２７０によって、反射光ＬＢ１、ＬＢ３の光軸方向の位置と、側面視における（主走査方向Ｙに見て）反射光ＬＢ１、ＬＢ３の光軸方向と直交するＺ方向（反射光ＬＢ２の光軸方向）の位置と、をそれぞれ調整可能に固定されている。
【００６４】
ミラーホルダー２７０は、第一保持部２７２、第二保持部２８０、及び第三保持部２９０を有している。
【００６５】
第一保持部２７２は、第一反射ミラー２５２の反射面２５２Ａと、第二反射ミラー２５４の反射面２５４Ａと、を側面視において（主走査方向Ｙに見て）９０°の角度となるように第一反射ミラー２５２と第二反射ミラー２５４とを保持する（図５（Ｂ）も参照）。また、第一保持部２７２は、主走査方向Ｙ（長手方向）に外側に突出する突出部２７４が設けられている。
【００６６】
第二保持部２８０は板状の固定部２８２と固定部２８４とで構成され、側面視においてＬ字状を成している。同様に第三保持部２９０は板状の固定部２９２と固定部２９４とで構成され、側面視においてＬ字状を成している。第二保持部２８０の固定部２８４及び第三保持部２９０の固定部２９４は、筐体２０２の固定面２０２Ａに固定されている。そして、第三保持部２９０の固定部２９２が反射光ＬＢ１、ＬＢ３の光軸方向と直交するＺ方向（反射光ＬＢ２の光軸方向）に沿って配置されている。
【００６７】
第二保持部２８０の固定部２８４は、第三保持部２９０の固定部２９２に重なり固定部２９４にビス２９８で固定されている。また、第二保持部２８０の固定部２８２が反射光ＫＢ１、ＬＢ３の光軸方向に沿って配置されている。この第二保持部２８０の固定部２８２に、第一保持部２７２の突出部２７４がビス２８８によって固定されている。
【００６８】
第二保持部２８０の固定部２８２には、反射光ＬＢ１，ＬＢ３の光軸方向を長手方向とする長孔２８６が形成され、この長孔２８６にビス２８８を通して第一保持部２７２の突出部２７４が固定されている。よって、ビス２８８が長孔２８６を移動可能な範囲内において、第一保持部２７２が反射光ＬＢ１、ＬＢ３の光軸方向に移動可能に第二保持部２８０に固定されている。
【００６９】
第三保持部２９０の固定部２９２には、反射光ＬＢ１，ＬＢ３の光軸方向と直交するＺ方向を長手方向とする長孔２９６が形成され、この長孔２９６にビス２９８を通して第二保持部２８０の固定部２８４が固定されている。よって、ビス２９８が長孔２９６を移動可能な範囲内において、第二保持部２８０がＺ方向に移動可能に第三保持部２９０に固定されている。
【００７０】
つまり、第一反射ミラー２５２と第二反射ミラー２５４とは、ミラーホルダー２７０によって、一体として反射光ＬＢ１、ＬＢ３の光軸方向の位置と、側面視における反射光ＬＢ１、ＬＢ３の光軸方向と直交するＺ方向（反射光ＬＢ２の光軸方向）の位置と、をそれぞれ調整可能に固定されている。なお、第一反射ミラー２５２及び第二反射ミラー２５４の主走査方向Ｙ（長手方向）の両端部を保持するミラーホルダー２７０それぞれで位置を調整することできる。
【００７１】
＜作用及び効果＞
つぎに本実施形態の作用及び効果について説明する。
【００７２】
図４に示すように、ＬＥＤ素子２２０とＣＣＤイメージセンサー２２２とが、同一の基板２１０に取り付けられているので、ＬＥＤ素子２２０とＣＣＤイメージセンサー２２２とが別々の基板に取り付けらいる構成の場合と比較し、基板数が削減されると共に読取ユニット２００が省スペース化される。また、ＬＥＤ素子２２０とＣＣＤイメージセンサー２２２とが別々の基板に取り付けられている比較例の場合は、基板間をハーネス等で電気的に繋ぐ必要があるが、ＬＥＤ素子２２０とＣＣＤイメージセンサー２２２とが同一の基板２１０に取り付けられることで、ハーネス等が不要となる。これによりハーネス等の取り回しスペースが不要となると共に組み立てが容易となる。
【００７３】
ここで、画像読取部１４の製造工程において、画像読取部１４を構成する読取ユニット２００は、ピント調整、倍率調整、読み取り画像のレジずれ調整、読み取り画像のスキューの調整、及びあおり調整等の光学調整が必要である。このような光学調整は、ＣＣＤイメージセンサー２２２の位置を移動、つまり基板２１０を移動させて行うことが可能である。しかし、基板２１０を移動させると、基板２１０に取り付けられているＬＥＤ素子２２０も移動する。ＬＥＤ素子２２０が移動すると、ＬＥＤ素子２２０の出射面２２０Ａと導光部材２３２の入射面２３２Ａとの距離や位置が変わり、これにより原稿Ｇに照射する光量や配光分布が変わる（光量や配光分布の変化は、図５（Ａ）の分布Ｑ’、分布Ｑ’’を参照）。
【００７４】
よって、本実施形態では、基板２１０を移動させないで、結像レンズ２４４の位置と第一反射ミラー２５２及び第二反射ミラー２５４の位置とを移動することで、原稿Ｇの被照射面ＧＡに照射する照射光ＬＡに影響を与えないで、ＣＣＤイメージセンサー２２２に入射する反射光ＬＢの光学調整を行っている。
【００７５】
次に、光学調整の方法の一例について図６〜図８を用いて説明する。
【００７６】
[ピント調整]
図６に示すように、ビス２６８を緩めた状態でレンズホルダー２６０を反射光ＬＢ３の光軸方向に移動し、結像レンズ２４４の反射光ＬＢ３の光軸方向の位置を調整することでピントが調整される。
【００７７】
[倍率調整及びあおり調整]
図６に示すように、ビス２８８を緩めた状態で第一反射ミラー２５２及び第二反射ミラー２５４の端部を保持する両方のミラーホルダー２７０の第一保持部２７２を反射光ＬＢ１、ＬＢ３の光軸方向に同じ距離移動することで、図７（Ａ）に示すように、光路長が変わり、これにより倍率が調整される。また、二つのミラーホルダー２７０で、第一保持部２７２の移動量を変えること、或いは互いに逆方向移動することで、あおりが調整される。
【００７８】
[レジずれ調整及びスキュー調整]
図６に示すように、ビス２９８を緩めた状態で二つのミラーホルダー２７０の第二保持部２８０を反射光ＬＢ１、ＬＢ３の光軸方向と直交するＺ方向（反射光ＬＢ２の光軸方向）に同じ距離移動することで、図７（Ｂ）に示すように、Ｚ方向の位置変わり、これによりレジずれが調整される。また、二つのミラーホルダー２７０で第二保持部２８０の移動量を変えること、或いは互いに逆方向に移動することで、スキューが調整される。
【００７９】
なお、「レジずれ調整」とは図８に示すＧ１のような副走査方向位置の調整であり、「スキュー調整」とは図８に示すＧ２のような副走査方向に対する傾きの調整である。
【００８０】
そして、各光学調整が完了すると、ビス２６８，２８８，２９８を締めこんで、レンズホルダー２６０と、ミラーホルダー２７０と、をそれぞれ固定する。
【００８１】
なお、第一反射ミラー２５２と第二反射ミラー２５４とは、反射面２５２Ａと反射面２５４Ａが９０°の角度に保持（維持）された状態で、移動して調整することができるので、第一反射ミラー２５２と第二反射ミラー２５４とを別々に移動させる構成と比較し、光学調整が容易である。
【００８２】
また、導光部材２３２の入射面２３２ＡはＬＥＤ素子２２０の出射面２２０Ａよりも大きく、ＬＥＤ素子２２０が出射する照射光ＬＡの光軸方向に見て、ＬＥＤ素子２２０の出射面２２０Ａが導光部材２３２の入射面２３２Ａに収まるように構成されている。よって、ＬＥＤ素子２２０や基板２１０の取り付け公差等に伴う位置変動に対する入射光量の変動が抑制される。
【００８３】
＜その他＞
尚、本発明は上記実施形態に限定されない。
【００８４】
例えば、上記実施形態では、長孔２６４，２８６，２９６とビス２６８，２８８，２９８とで位置を調整して固定したがこれに限定されない。例えば、長穴及びビスでなく、位置を調整後、ＵＶ等の光で硬貨する光硬化型等の接着剤で、レンズホルダー２６０及びミラーホルダー２７０を固定してもよい。また、レンズホルダー２６０及びミラーホルダー２７０は、一例であってこれに限定されない。どのような構成であってもよい。要は、結像レンズ２４４の位置と、第一反射ミラー２５２及び第二反射ミラー２５４の位置と、を移動して光学調整し、固定することが可能な構成や機構であればよい。
【００８５】
また、例えば、上記実施形態では、第一反射ミラー２５２と第二反射ミラー２５４とは、９０°に保持された状態を維持して一体となって移動する構成であったが、これに限定されない。第一反射ミラー２５２と第二反射ミラー２５４とがそれぞれ個別に位置を調整する構成であってもよい。
【００８６】
また、上記実施形態では、発光素子としてＬＥＤ（Ｌｉｇｈｔ  Ｅｍｉｔｔｉｎｇ  Ｄｉｏｄｅ）素子２２０を用いたがこれに限定されない。有機ＥＬ（Ｅｌｅｃｔｒｏ  Ｌｕｍｉｎｅｓｃｅｎｃｅ）素子や無機ＥＬ素子等の他の発光素子を用いてもよい。
【００８７】
また、上記実施形態では、撮像素子としてＣＣＤ(Charge Coupled Device Image Sensor)イメージセンサー２２２を用いたがこれに限定されない。ＣＭＯＳ（Complementary Metal Oxide Semiconductor Image Sensor）イメージセンサー等の他の撮像素子を用いてもよい。
【００８８】
更に、本発明の要旨を逸脱しない範囲において種々なる態様で実施し得ることは言うまでもない。
【符号の説明】
【００８９】
１１      画像読取装置
２１０      基板
２２０      ＬＥＤ素子（発光素子の一例）
２２２      ＣＣＤイメージセンサー（撮像素子の一例）
２３０      第一光学系
２４０      第二光学系
２４４      結像レンズ
２５０      反射光学系
２５２Ａ    第一反射ミラーの反射面（第一反射面の一例）
２５４Ａ    第二反射ミラーの反射面（第二反射面の一例）
２６０      レンズホルダー（レンズレンズ位置固定手段の一例）
２７０      ミラーホルダー（反射面固定手段の一例）
ＧＡ    被照射面
【図１】
0005849556.tif 000002
【図２】
0005849556.tif 000003
【図３】
0005849556.tif 000004
【図４】
0005849556.tif 000005
【図５】
0005849556.tif 000006
【図６】
0005849556.tif 000007
【図７】
0005849556.tif 000008
【図８】
0005849556.tif 000009